(57)【特許請求の範囲】
【請求項１】
マスク本体（３）と、マスク本体（３）の両端に設けられた一対の耳掛け紐（４ａ・４ｂ）とを備えるマスク（２）を収容するためのマスクケース（１）であって、
マスクケース（１）は、二つ折り状態とされたマスク本体（３）の内面に差し込み装入される内ホルダー（１０）と、内ホルダー（１０）とともにマスク（２）を収容する外ケース（１１）とで構成されており、
外ケース（１１）は、前面部（１２）と後面部（１３）とで構成されて上方開口（１４）を有する扁平ポケット状のケース本体（１５）と、後面部（１３）に連続して上方に伸びて、前方に折り返されることで前面部（１２）に重なる外折部（１６）とを備えており、
外ケース（１１）の前面部（１２）の下端には、両耳掛け紐（４ａ・４ｂ）および外折部（１６）の下端を掛止するための掛止体（１８）が設けられており、
内ホルダー（１０）は、内前片（３０）と、内前片（３０）の下端に連続して上方に伸びて、後方に向かって折り返される内後片（３１）と、内前片（３０）の上端に連続して上方に伸びて、前方に向かって折り返される前フラップ（３２）と、内後片（３１）の上端に連続して上方に伸びて、後方に向かって折り返される後フラップ（３３）とを備えており、
二つ折り状態とされたマスク本体（３）の間に内ホルダー（１０）の内前片（３０）と内後片（３１）を差し込み装入し、前フラップ（３２）と後フラップ（３３）とを折り返してマスク本体（３）の上端に被せ付けて、マスク（２）に対して内ホルダー（１０）が装着される装着態様と、前記装着態様から前フラップ（３２）を前面部（１２）の上端縁に被せながら、マスク（２）と内ホルダー（１０）とを上方開口（１４）から外ケース（１１）内に収容し、前フラップ（３２）の下端から下方に垂れる前方側の耳掛け紐（４ａ）と、内後片（３１）と前フラップ（３２）の上端縁を乗り越えて当該前フラップ（３２）の前面側に至る後方側の耳掛け紐（４ｂ）とを掛止体（１８）に掛止させるとともに、外折部（１６）を前方に折り返して、その下端縁を掛止体（１８）に掛止させて、内ホルダー（１０）と共にマスク（２）を外ケース（１１）に収容する収容態様とを採ることができるように構成されていることを特徴とするマスクケース。
【請求項２】
内ホルダー（１０）を構成する後フラップ（３３）の左右幅（Ｗ２）が、前フラップ（３２）の左右幅（Ｗ１）よりも小さく設定されている、請求項１記載のマスクケース。
【請求項３】
左右方向の中央部に係る後面部（１３）と外折部（１６）との境界部に、両部（１３・１６）に跨るように開口部（２１）が形成されている、請求項１記載のマスクケース。
【請求項４】
内ホルダー（１０）を内前片（３０）と内後片（３１）の折り返し部が上方に指向するとともに、両片（３０・３１）の前後のフラップ（３２・３３）との境界縁が机面に接する立脚姿勢とすることで、マスク（２）を被せ付けるように載置することができるマスクスタンド態様とすることができる、請求項１乃至３のいずれかひとつに記載のマスクケース。
【発明の詳細な説明】
【技術分野】
【０００１】
本発明は、鼻口内の衛生を保つことを目的として、人体の顔面に装着される衛生マスク（以下、単に「マスク」と記す。）を収容するのに適したマスクケースに関する。
【背景技術】
【０００２】
従来より、外出時に着用したマスクを一時的に外して収容することでマスクを汚すことなく携帯することができるようにしたマスクケースは公知である。例えば、特許文献１には、袋状に形成された生地からなり、一部に開口部を有し、マスクを挿入及び挿出可能なマスク収納部を有する袋本体部と、袋本体部に一体に形成され、開口部を閉塞する閉じ位置と開口部を開放する開き位置とで変形可能に折り返されるカバー部とを備えるマスクケース（携帯型マスクポーチ）が開示されている。
【０００３】
特許文献２には、接続部を介して開閉可能に接続された定型性のあるケース本体と蓋との間のマスク収容空間にマスクを折り畳んで収容するようにしたマスクケース（マスク保管用ケース）が開示されている。マスク収容空間と接続部との間を仕切る位置にはインナーカバーが設けられている。このインナーカバーは、開放時に蓋に連動して開き、閉止時に蓋に連動してマスク収容空間側に閉じるように構成されている。
【先行技術文献】
【特許文献】
【０００４】
【特許文献１】特開２０１６−１２３６８８号公報
【特許文献２】特開２０１３−０４８７１５号公報
【発明の概要】
【発明が解決しようとする課題】
【０００５】
特許文献１に記載のマスクケースにおいて、当該マスクケース内にマスクを収容する際には、マスクを手指先で摘まんだうえで、袋本体部の開口部を開き、マスク収容部内にマスクを押込む必要がある。このため、収容作業時には、鼻口を覆うマスク本体の外面側に手指先が接触して、当該マスク本体の外面に付着した飛沫等の汚れが手指先に移るおそれがあり不衛生である。また、マスク収容部内においてマスクの耳掛け紐が遊動自在であり、開口部から耳掛け紐が不用意に飛び出すおそれもある。ケース内で動いた耳掛け紐にマスク本体に付着した飛沫等の汚れが移り、さらに耳掛け紐を触った手指先に汚れが移るおそれもある。
【０００６】
特許文献２に記載のマスクケースにおいては、インナーカバーによりマスク収容空間が閉じられるため、マスクケースから耳掛け紐が突出するおそれはない。但し、マスク収容空間内にマスクを収容するためには、マスクを手指先で摘まんだうえで、マスク収容空間内にマスクを載置する必要があり、特許文献１と同様に、マスク本体の外面側に手指先が接触して、当該マスク本体の外面に付着した飛沫等の汚れが手指先に移るおそれがある。マスク収容空間内では、耳掛け紐は自由に動くことができるため、当該空間内で動いた耳掛け紐にマスク本体に付着した飛沫等の汚れが移り、さらに耳掛け紐を触った手指先に汚れが移るおそれもある。
【０００７】
本発明は、以上のような従来のマスクケースの抱える問題を解決することを目的としてなされたものであり、ケース内へのマスクの収容動作時やケースからのマスクの取り出し動作時において、マスク本体の外面側に手指先が接触することを抑えることが可能であり、しかも収容状態において耳掛け紐が不用意に遊動することがなく、より衛生的にマスクを取り扱うことができるマスクケースを提供することを目的とする。
【課題を解決するための手段】
【０００８】
本発明は、マスク本体３と、マスク本体３の両端に設けられた一対の耳掛け紐４ａ・４ｂとを備えるマスク２を収容するためのマスクケース１を対象とする。マスクケース１は、二つ折り状態とされたマスク本体３の内面に差し込み装入される内ホルダー１０と、内ホルダー１０とともにマスク２を収容する外ケース１１とで構成されている。外ケース１１は、前面部１２と後面部１３とで構成されて上方開口１４を有する扁平ポケット状のケース本体１５と、後面部１３に連続して上方に伸びて、前方に折り返されることで前面部１２に重なる外折部１６とを備えており、外ケース１１の前面部１２の下端には、両耳掛け紐４ａ・４ｂおよび外折部１６の下端を掛止するための掛止体１８が設けられている。内ホルダー１０は、内前片３０と、内前片３０の下端に連続して上方に伸びて、後方に向かって折り返される内後片３１と、内前片３０の上端に連続して上方に伸びて、前方に向かって折り返される前フラップ３２と、内後片３１の上端に連続して上方に伸びて、後方に向かって折り返される後フラップ３３とを備えている。そして、二つ折り状態とされたマスク本体３の間に内ホルダー１０の内前片３０と内後片３１を差し込み装入し、前フラップ３２と後フラップ３３とを折り返してマスク本体３の上端に被せ付けて、マスク２に対して内ホルダー１０が装着される装着態様（図５（ｂ）参照）と、この装着態様から前フラップ３２を前面部１２の上端縁に被せながら、マスク２と内ホルダー１０とを上方開口１４から外ケース１１内に収容し、前フラップ３２の下端から下方に垂れる前方側の耳掛け紐４ａと、内後片３１と前フラップ３２の上端縁を乗り越えて当該前フラップ３２の前面側に至る後方側の耳掛け紐４ｂとを掛止体１８に掛止させるとともに、外折部１６を前方に折り返して、その下端縁を掛止体１８に掛止させて、内ホルダー１０と共にマスク２を外ケース１１に収容する収容態様（図２参照）とを採ることができるように構成されていることを特徴とする。
【０００９】
内ホルダー１０を構成する後フラップ３３の左右幅（Ｗ２）が、前フラップ３２の左右幅（Ｗ１）よりも小さく設定されている構成を採ることが望ましい。
【００１０】
左右方向の中央部に係る後面部１３と外折部１６との境界部に、両部１３・１６に跨るように開口部２１が形成されている構成を採ることが望ましい。
【００１１】
内ホルダー１０を内前片３０と内後片３１の折り返し部が上方に指向するとともに、両片３０・３１の前後のフラップ３２・３３との境界縁が机面に接する立脚姿勢とすることで、マスク２を被せ付けるように載置することができるマスクスタンド態様とすることができるように構成することが望ましい。
【発明の効果】
【００１２】
上記のように、本発明においては、マスクケース１を、二つ折り状態とされたマスク本体３の内面に差し込み装入される内ホルダー１０と、内ホルダー１０とともにマスク２を収容する外ケース１１とで構成する。外ケース１１は、前面部１２と後面部１３とで構成されて上方開口１４を有する扁平ポケット状のケース本体１５と、後面部１３に連続して上方に伸びて、前方に折り返されることで前面部１２に重なる外折部１６とを備えるものとし、前面部１２の下端には、マスク２の耳掛け紐４ａ・４ｂおよび外折部１６の下端を掛止するための掛止体１８を設ける。内ホルダー１０は、二つ折りされた内前片３０と内後片３１と、内前片３０の上端に連続して上方に伸びて、前方に向かって折り返される前フラップ３２と、内後片３１の上端に連続して上方に伸びて、後方に向かって折り返される後フラップ３３とを備えるものとする。そのうえで本発明においては、二つ折り状態とされたマスク本体３の間に内ホルダー１０の内前片３０と内後片３１を差し込み装入し、前フラップ３２と後フラップ３３とを折り返してマスク本体３の上端に被せ付けて、マスク２に対して内ホルダー１０が装着される装着態様（図５（ｂ）参照）と、この装着態様から前フラップ３２を外ケース１１の前面部１２の上端縁に被せながら、マスク２と内ホルダー１０とを上方開口１４から外ケース１１内に収容し、前フラップ３２の下端から下方に垂れる前方側の耳掛け紐４ａと、内後片３１と前フラップ３２の上端縁を乗り越えて当該前フラップ３２の前面側に至る後方側の耳掛け紐４ｂとを掛止体１８に掛止させるとともに、外折部１６を前方に折り返して、その下端縁を掛止体１８に掛止させて、内ホルダー１０と共にマスク２を外ケース１１に収容する収容態様（図２参照）とを採ることができるように構成する。
【００１３】
以上のような構成からなる本発明のマスクケース１によれば、装着態様を採る際には、マスク本体３の間に内ホルダー１０を差し込み装入し、前フラップ３２と後フラップ３３とをマスク本体３の上端に被せ付けたのちには、これら前後のフラップ３２・３３を手指先で摘まむことで、マスク本体３に触ることなく、マスク２と内ホルダー１０とを取り扱うことが可能となる。また、その後の収容態様を採る際にも、前後のフラップ３２・３３を手指先で摘まむようにして取り扱うことで、マスク本体３に触ることなく、マスク２と内ホルダー１０とを外ケース１１内に収容することができる。さらに、外ケース１１からの取り出し動作時においても、前後のフラップ３２・３３を手指先で摘まみ、引き上げることで、マスク本体３に触ることなく、マスク２と内ホルダー１０とを外ケース１１から取り出すことができる。したがって、本発明によれば、外ケース１１内へのマスク２の収容動作時や外ケース１１からのマスク２の取り出し動作時において、マスク本体３の外面側に手指先が接触することを抑えることが可能であり、より衛生的にマスク２を取り扱うことができる。
【００１４】
収容態様においては、両耳掛け紐４ａ・４ｂを掛止体１８に掛止することができるので、当該収容態様において耳掛け紐４ａ・４ｂが不用意に遊動することがなく、この点でもより衛生的にマスク２を取り扱うことができる。すなわち、例えばマスク本体３と共に外ケース１１内に耳掛け紐４ａ・４ｂが無造作に押込まれる形態を採った場合には、マスク本体３の外面に耳掛け紐４ａ・４ｂが接触するおそれや、押込み作業時に手指先がマスク本体３に接触するおそれがあるが、本発明のように、収容態様において両耳掛け紐４ａ・４ｂを掛止体１８に掛止するようになっていると、マスク本体３に耳掛け紐４ａ・４ｂが接触することはない。耳掛け紐４ａ・４ｂの取り扱い時に、手指先がマスク本体３に接触することを防ぐこともできる。
【００１５】
内ホルダー１０を構成する後フラップ３３の左右幅（Ｗ２）を、前フラップ３２の左右幅（Ｗ１）よりも小さくしていると、装着態様における後方側の耳掛け紐４ｂをより下方側に配置させることができるので、耳掛け紐４ｂを掛止体１８に掛止する際に必要となる耳掛け紐４ｂの下方への伸長幅を小さくすることができる。つまり、図９（ａ）に示すように、内ホルダー１０を構成する後フラップ３３の左右幅が小さい場合には、当該後フラップ３３の左右を通して（後フラップ３３を迂回して）、耳掛け紐４ｂを前方に向かってダイレクトに持ってくることができるので、装着態様においては、自然状態における耳掛け紐４ｂをより下方側にまで配置させることができる。これに対して、後フラップ３３の左右幅が大きい場合には、後方側の耳掛け紐４ｂを前方に持ってくるためには、図９（ｂ）に示すように、当該耳掛け紐４ｂを後フラップ３３の下端を通す必要があり、装着態様における耳掛け紐４ｂは、図９（ａ）に示す態様よりもより上方側に位置することとなる。このため、耳掛け紐４ｂを掛止体１８に掛止させるためには、耳掛け紐４ｂをより大きく伸長させる必要があり、耳掛け紐４ｂの負荷が大きくなり、耳掛け紐４ｂが伸びて変形する不都合が生じるおそれがある。耳掛け紐４ｂを掛止体１８に掛止させたときに、耳掛け紐４ｂの弾性力により内ホルダー１０が撓み、マスクケース１の全体が変形する不都合が生じるおそれもある。これに対して、本発明のように、内ホルダー１０を構成する後フラップ３３の左右幅（Ｗ２）を前フラップ３２の左右幅（Ｗ１）よりも小さくしていると、上記のような不都合が生じることはなく、より適正な姿勢でマスクケース１内にマスク２を収容することができる。
【００１６】
左右方向の中央部に係る後面部１３と外折部１６との境界部に、両部１３・１６に跨る開口部２１が形成されていると、外ケース１１からマスク２を取り出す際に、外折部１６に干渉されることなく、開口部２１を介して後フラップ３３に容易にアクセスすることができる。したがって、外折部１６を大きく後方に傾けたり、上方開口１４を押し広げたりする必要がなく、より容易にマスク２と内ホルダー１０とを外ケース１１から取り出すことができる。
【００１７】
図８に示すように、内ホルダー１０を内前片３０と内後片３１の折り返し部が上方に指向するとともに、両片３０・３１のフラップ３２・３３との境界縁がテーブル面に接する立脚姿勢とすることで、該内ホルダー１０にマスク２を被せ付けるように載置することができるマスクスタンド態様を採ることができるように構成されていると、マスクケース１にマスクケース機能だけでなく、マスクスタンド機能を付与することができるので、マスクケース１の実用利便性の各段の向上を図ることができる。このマスクスタンド機能は、例えば、食事等において、マスク２を人体顔面から一時的に外したときに有用であり、当該マスクスタンド機能を用いることで、マスク本体３がテーブル面に接することない姿勢状態としながら、マスク２をテーブル上に一時的に保管することが可能となる。
【図面の簡単な説明】
【００１８】
【図１】本発明の第１実施例に係るマスクケース、および収納対象であるマスクの分解斜視図である。
【図２】マスクケースの正面図である。
【図３】図２のＡ−Ａ線断面図である。
【図４】（ａ）は外ケースのブランクシートを示す平面図であり、（ｂ）は内ホルダーのブランクシートを示す平面図である。
【図５】（ａ）〜（ｃ）は、マスクケースへのマスクの収容方法を説明するための図である。
【図６】要部の拡大平面図である。
【図７】図６のＢ−Ｂ線断面図であり、マスクケースからのマスクの取出し方法を説明するための図である。
【図８】本実施例のマスクケースを構成する内ホルダーをマスクスタンド態様とした状態を示す図であり、内ホルダーとマスクの斜視図である。
【図９】後フラップの左右幅と後方側の耳掛け紐との位置関係を説明するための図であり、（ａ）は後フラップの左右幅が前フラップの左右幅よりも小さい本実施例のマスクを示しており、（ｂ）は後フラップの左右幅が前フラップの左右幅よりも大きな状態を示している。
【図１０】（ａ）は本発明の第２実施例に係るマスクケースの平面図であり、（ｂ）は（ａ）のＣ−Ｃ線断面図である。
【図１１】本発明の第３実施例に係るマスクケースを構成する内ホルダーを説明するための図である。
【発明を実施するための形態】
【００１９】
（第１実施例）  本発明に係るマスクケースの第１実施例を図１ないし図９に示す。本実施例における前後、左右、上下とは、図１ないし図３に示す交差矢印と、矢印の近傍の前後、左右、上下の表記に従う。図１において、符号１はマスクケース、符号２はマスクケース１の収納対象であるマスクを示す。マスク２は、人体の鼻口を覆う布製のマスク本体３と、マスク本体３の両側に設けられた一対の環状のゴム紐である耳掛け紐４（４ａ・４ｂ）とを備える。図１には、マスク本体３を前片３ａと後片３ｂからなる二つ折りとした状態を示しており、前片３ａの上端に前方側の耳掛け紐４ａが設けられ、後片３ｂの上端に後方側の耳掛け紐４ｂが設けられている。図１において符号５は前後片３ａ・３ｂのそれぞれの左右端に設けられた紐孔を示しており、この紐孔５を介して各耳掛け紐４ａ・４ｂはマスク本体３に装着されている。
【００２０】
マスクケース１は、二つ折り状態とされたマスク本体３の内面に差し込み装入される内ホルダー１０と、内ホルダー１０とともにマスク２を収容する外ケース１１とで構成される。
【００２１】
外ケース１１は、紙やプラスチックフィルムを素材とするものであり、図１に示すように、前面部１２と後面部１３とで構成されて上方開口１４を有する扁平ポケット状のケース本体１５と、後面部１３に連続して上方に伸びて、前方に折り返されることで前面部１２に重なる外折部１６とを備える。前面部１２は、外ケース１１の正面（前面）に位置する部分であり、横長（左右方向に長い）の略長方形状を呈する。前面部１２の上縁１２ａの左右方向の中央部には、部分円弧状の凹入部１７が切欠き形成されている。前面部１２の正面（前面）の下端には、耳掛け紐４ａ・４ｂと外折部１６の下端とを掛止するための掛止体１８が固定されている。本実施例における掛止体１８は、ひも付きの封筒に使用される所謂「マルタック」である。
【００２２】
後面部１３は、外ケース１１の背面（後面）に位置する部分であり、横長（左右方向に長い）の略長方形状を呈しており、その上下方向の長さ寸法は、前面部１２よりも僅かに大きく設定されている。外折部１６は、後面部１３の上端を下辺として、後面部１３の上方に延出された横長の長方形状のフラップであり、前方に折り返されたとき上方開口１４を塞ぐ蓋の役割を果たす。外折部１６の遊端（図１の上端）の左右方向の中央部には、掛止体１８に掛止される舌片２０が膨出形成されている。これら後面部１３と外折部１６との境界部に係る左右方向の中央部には、両部１３・１６に跨るように円状の開口部２１が打ち抜き形成されている。
【００２３】
外ケース１１は、図４（ａ）に示すような上下方向に長い１枚の略Ｔ字状に切断されたブランクシート２２を折り畳んで形成される。ブランクシート２２は、上下方向に連設された前面部１２と後面部１３と外折部１６と、前面部１２の左右に形成された台形状の糊代片２３・２３とで構成される。前面部１２と後面部１３の境界に形成された折り線に沿って後面部１３を山折りしたのち、前面部１２と糊代片２３との間に形成された折り線に沿って糊代片２３を山折りし、糊代片２３を後面部１３の左右端部に糊付けすることで、扁平ポケット状のケース本体１５（図１参照）を形成することができる。また、この状態から後面部１３と外折部１６との間に形成された折り線に沿って外折部１６を山折りすることで、外折部１６を前面部１２に重ねることができる。
【００２４】
ケース本体１５の内面、すなわち前面部１２の後方側の面と、後面部１３の前方側の面のそれぞれには抗菌処理が施されている。これにより、ケース本体１５内に収容されたマスク２のマスク本体３の外面に対して抗菌作用を及ぼすことができる。
【００２５】
内ホルダー１０は、外ケース１１と同様に、紙やプラスチックフィルムを素材とするものであり、二つ折りされた内前片３０と内後片３１と、内前片３０の上端に連続して上方に伸びて、前方に向かって折り返される前フラップ３２と、内後片３１の上端に連続して上方に伸びて、後方に向かって折り返される後フラップ３３とを備える（図１参照）。内前片３０と内後片３１は、折り返し部である折り線（直線部３４：図４（ｂ）参照）を中心にして相似形に形成されている。内前片３０と内後片３１のそれぞれの下端縁は、左右方向に走る直線部３４と、直線部３４の左右両端から上方向に伸びる曲線からなる傾斜部３５・３５とで構成されており、これら傾斜部３５・３５の存在により、平面視において両片３０・３１の下端部は下窄まりのテーパー状に形成されている。
【００２６】
前フラップ３２は、左右横長の長方形状に形成されており、その左右幅（Ｗ１：図４（ｂ）参照）は、内前片３０の上端部の左右幅と同寸法に設定されている。これに対して後フラップ３３は、半円状に形成されており、内後片３１の上端縁の左右方向の中央部のみから上方に向かって連設されている。したがって、前後のフラップ３２・３３の左右幅を比較したとき、後フラップ３３の左右幅（Ｗ２）は、前フラップ３２の左右幅（Ｗ１）に比べて小さく設定されている（Ｗ２＜Ｗ１）。後フラップ３３の外形寸法は、外ケース１１に構成された開口部２１の内形寸法よりも大きく設定されている。
【００２７】
内ホルダー１０は、図４（ｂ）に示すような縦長のブランクシート３６を折り畳んで形成される。ブランクシート３６は、内前片３０と内後片３１と前フラップ３２と後フラップ３３とで構成される。内前片３０と内後片３１の境界部に形成された折り線（直線部３４）に沿って両片３０・３１が重なるように谷折りしたのち、内前片３０と前フラップ３２との間に形成された折り線に沿って前フラップ３２を山折りし、内後片３１と後フラップ３３との間に形成された折り線に沿って後フラップ３３を山折りすることで、図１に示すような内ホルダー１０を得ることができる。
【００２８】
マスクケース１は、ケース本体１５内にマスク２を収容するものであるため、収容対象となるマスク２のマスク本体３の左右幅は、ケース本体１５の左右幅よりも小さいことが望ましい。また、収容姿勢におけるマスク本体３の紐孔５の左右方向の長さ寸法（Ｌ１：図６参照）は、後フラップ３３の左右幅（Ｗ２）よりも大きいことが望ましい。
【００２９】
以上のような構成からなるマスクケース１に対するマスク２の収容方法について、図５を参照して説明する。まず、図５（ａ）に示すように、マスク２を上方側に耳掛け紐４ａ・４ｂが位置するように二つ折り状態とする。次いで、このマスク本体３の間に内ホルダー１０の内前片３０と内後片３１とを差し込み装入し、前フラップ３２と後フラップ３３とをマスク本体３の上端に被せ付ける。これにより、同図（ｂ）に示すように、マスク２に対して内ホルダー１０が装着された装着態様とすることができる。この装着態様においては、前方側の耳掛け紐４ａは、マスク本体３の前片３ａと前フラップ３２との間を通って、前フラップ３２の下端から下方に垂れさせておく。同様に、後方側の耳掛け紐４ｂは、内後片３１と前フラップ３２の両者の上端縁を超えさせて、前フラップ３２の前面側に至らせて、前フラップ３２の上端から下方に垂れさせておく。
【００３０】
以上のような装着態様を採る際には、例えばマスク２の耳掛け紐４を手指先で摘まむ、或いは紐孔５の近傍を手指先で摘まむことで、手指先のマスク本体３への接触機会を最小限に抑えることができる。また、マスク本体３の間に内ホルダー１０を差し込み装入し、前フラップ３２と後フラップ３３とをマスク本体３の上端に被せ付けたのちには、これら前後のフラップ３２・３３を手指先で摘まむことで、マスク本体３に直接触れることなく、マスク２と内ホルダー１０とを取り扱うことができる。なお、上記のように、内ホルダー１０を構成する内前片３０と内後片３１の下端部は下窄まりのテーパー状に形成されているため、装着態様において、二つ折りされたマスク本体３の下端縁の左右端に、両片３０・３１の下端部が干渉することはない。
【００３１】
次に、装着態様にあるマスク２と内ホルダー１０とを外ケース１１内に収容する。具体的には、外ケース１１のケース本体１５の左右縁に手指先を掛け、当該左右縁を内方向に押込むことで、ケース本体１５の上方開口１４を押し広げ、この状態から装着態様にあるマスク２と内ホルダー１０の両者を外ケース１１内に収容する。このとき、内ホルダー１０の前フラップ３２は、外ケース１１の前面部１２よりも前方側に位置するようにし、換言すれば、内ホルダー１０の前フラップ３２を外ケース１１の前面部１２の上端縁に被せ付ける。また、両耳掛け紐４ａ・４ｂは、外ケース１１の前面部１２よりも前方側に配置させる。
【００３２】
次いで、図５（ｃ）に示すように、ゴム紐である耳掛け紐４ａ・４ｂを伸長させて、両紐４ａ・４ｂを掛止体１８に掛止する。このように耳掛け紐４ａ・４ｂを掛止体１８に掛止させることにより、不用意にケース本体１５内でマスク２や内ホルダー１０が遊動することや、不用意にケース本体１５からマスク２と内ホルダー１０とが脱落することを防ぐことができる。耳掛け紐４ａ・４ｂが不用意に遊動することを防ぐこともできる。
【００３３】
最後に、上方開口１４を塞ぐように外折部１６を前方に折り返して、その下端に形成された舌片２０を掛止体１８に掛止させることにより、図２および図３に示すように、内ホルダー１０と共にマスク２が外ケース１１内に収容された収容態様を採ることができる。上記のように、後フラップ３３の外形寸法は、外ケース１１に構成された開口部２１の内形寸法よりも大きく設定されているため、収容態様において、開口部２１を介してマスク２が外面に露出することはない。
【００３４】
外ケース１１からマスク２を取り出す際には、まず、舌片２０の掛止体１８との掛止状態を解除したのち、外折部１６を上方に展開させて上方開口１４を開く。次いで、耳掛け紐４ａ・４ｂの掛止体１８に対する掛止状態を解除したのち、図７に示すように、前後のフラップ３２・３３を二本の手指先で摘まみながら、内ホルダー１０と共にマスク２を引き上げることで、これら（マスク２と内ホルダー１０）を外ケース１１から取り出すことができる。このとき、外ケース１１の後面部１３と外折部１６の境界部には開口部２１が形成されているため、外折部１６に邪魔されることなく、当該開口部２１を介して後フラップ３３に手指先を容易にアクセスさせることができる。したがって、外折部１６を大きく後方に傾けたり、上方開口１４を押し広げたりする必要がなく、前後のフラップ３２・３３を二本の手指先で摘まむことで、より容易にマスク２と内ホルダー１０とを外ケース１１から取り出すことができる。加えて、前面部１２の上端縁に凹入部１７が切欠き形成されているため、手指先で前フラップ３２の左右方向の中央部を押えたときにも、手指先が外ケース１１の前面部１２を同時に押えることは無い。したがって、この点でも、より容易にマスク２と内ホルダー１０とを外ケース１１から取り出すことができる。
【００３５】
以上のような外ケース１１からの取出し作業においても、前後のフラップ３２・３３を手指先で摘まむことで、マスク本体３に触れることなく、マスク２と内ホルダー１０とを取り扱うことができる。最後に、二つ折り状態にあるマスク本体３の間から内ホルダー１０を抜き出すことで、マスク２をマスクケース１から分離することができる。マスクケース１から分離されたマスク２は、マスク本体３が人体の鼻口部分を覆うよう人体顔面に装着されて使用に供される。
【００３６】
飲食などにより、使用状態から一時的にマスク２が人体顔面から取り外されるときには、マスクケース１をマスクスタンドとして使用すること、つまりマスクケース１をマスクスタンド態様とすることで、テーブル面上にマスク２を一時的に載置することができる。図８は、マスクケース１のマスクスタンド態様を示しており、そこでは、内ホルダー１０を内前片３０と内後片３１の折り返し部（直線部３４）が上方に指向するとともに、両片３０・３１のフラップ３２・３３との境界縁がテーブル面に接する立脚姿勢としている。このように内ホルダー１０を立脚姿勢とすることで、これ（内ホルダー１０）にマスク２を被せ付けるように載置することができる。以上のように、本実施形態のマスクケース１は、マスク２を収容して持ち運ぶためのマスクケースとしての機能だけでなく、人体顔面から取り外されたマスク２を一時的にテーブル面上に載置することができる、マスクスタンドとしての機能を備える。
【００３７】
以上のように、本実施例においては、マスクケース１を、二つ折り状態とされたマスク本体３の内面に差し込み装入される内ホルダー１０と、内ホルダー１０とともにマスク２を収容する外ケース１１とで構成した。外ケース１１は、前面部１２と後面部１３とで構成されて上方開口１４を有する扁平ポケット状のケース本体１５と、後面部１３に連続して上方に伸びて、前方に折り返されることで前面部１２に重なる外折部１６とを備えるものとし、前面部１２の下端には、マスク２の耳掛け紐４ａ・４ｂおよび外折部１６の下端を掛止するための掛止体１８を設けた。内ホルダー１０は、二つ折りされた内前片３０と内後片３１と、内前片３０の上端に連続して上方に伸びて、前方に向かって折り返される前フラップ３２と、内後片３１の上端に連続して上方に伸びて、後方に向かって折り返される後フラップ３３とを備えるものとした。そして、二つ折り状態とされたマスク本体３の間に内ホルダー１０の内前片３０と内後片３１を差し込み装入し、前フラップ３２と後フラップ３３とを折り返してマスク本体３の上端に被せ付けて、マスク２に対して内ホルダー１０が装着される装着態様（図５（ｂ）参照）と、この装着態様から前フラップ３２を外ケース１１の前面部１２の上端縁に被せながら、マスク２と内ホルダー１０とを上方開口１４から外ケース１１内に収容し、前フラップ３２の下端から下方に垂れる前方側の耳掛け紐４ａと、内後片３１と前フラップ３２の上端縁を乗り越えて当該前フラップ３２の前面側に至る後方側の耳掛け紐４ｂとを掛止体１８に掛止させるとともに、外折部１６を前方に折り返して、その下端縁を掛止体１８に掛止させて、内ホルダー１０と共にマスク２を外ケース１１に収容する収容態様（図２参照）とを採ることができるように構成した。
【００３８】
以上のような構成からなる本実施例のマスクケース１によれば、装着態様を採る際には、マスク本体３の間に内ホルダー１０を差し込み装入し、前フラップ３２と後フラップ３３とをマスク本体３の上端に被せ付けたのちには、これら前後のフラップ３２・３３を手指先で摘まむことで、マスク本体３に触ることなく、マスク２と内ホルダー１０とを取り扱うことが可能となる。また、その後の収容態様を採る際にも、前後のフラップ３２・３３を手指先で摘まむようにして取り扱うことで、マスク本体３に触ることなく、マスク２と内ホルダー１０とを外ケース１１内に収容することができる。さらに、外ケース１１からの取り出し動作時においても、前後のフラップ３２・３３を手指先で摘まみ引き上げることで、マスク本体３に触ることなく、マスク２と内ホルダー１０とを外ケース１１から取り出すことができる。したがって、本実施例によれば、外ケース１１内へのマスク２の収容動作時や外ケース１１からのマスク２の取り出し動作時において、マスク本体３の外面側に手指先が接触することを抑えることが可能であり、より衛生的にマスク２を取り扱うことができる。
【００３９】
また、収容態様においては、両耳掛け紐４ａ・４ｂを掛止体１８に掛止することができるので、当該収容態様において耳掛け紐４ａ・４ｂが不用意に遊動することがなく、この点でもより衛生的にマスク２を取り扱うことができる。すなわち、マスク本体３と共に外ケース１１内に耳掛け紐４ａ・４ｂが押込まれる形態を採った場合には、マスク本体３の外面に耳掛け紐４ａ・４ｂが接触するおそれや、押込み作業時に手指先がマスク本体３に接触するおそれがあるが、本実施例のように、収容態様において両耳掛け紐４ａ・４ｂを掛止体１８に掛止されるようになっていると、マスク本体３に耳掛け紐４ａ・４ｂが接触することはなく、耳掛け紐４ａ・４ｂの取り扱い時に、手指先がマスク本体３に接触することもない。
【００４０】
内ホルダー１０を構成する後フラップ３３の左右幅（Ｗ２）を、前フラップ３２の左右幅（Ｗ１）よりも小さくすると、装着態様における後方側の耳掛け紐４ｂをより下方側に配置させることができるので、耳掛け紐４ｂを掛止体１８に掛止する際に必要となる耳掛け紐４ｂの下方への伸長幅を小さくすることができる。つまり、図９（ａ）に示すように、内ホルダー１０を構成する後フラップ３３の左右幅（Ｗ２）が小さい場合には、当該後フラップ３３の左右を通して（後フラップ３３を迂回して）、耳掛け紐４ｂを前方に向かってダイレクトに持ってくることができるので、装着態様においては、自然状態における耳掛け紐４ｂをより下方側にまで配置させることができる。これに対して、後フラップ３３の左右幅（Ｗ２）が大きい場合には、後方側の耳掛け紐４ｂを前方に持ってくるためには、図９（ｂ）に示すように、当該耳掛け紐４ｂを後フラップ３３の下端を通す必要があり、装着態様における耳掛け紐４ｂは、図９（ａ）に示す態様よりもより上方側に位置することとなる。このため、耳掛け紐４ｂを掛止体１８に掛止させるためには、耳掛け紐４ｂをより大きく伸長させる必要があり、耳掛け紐４ｂの負荷が大きくなり、耳掛け紐４ｂが伸びて変形する不都合が生じるおそれがある。耳掛け紐４ｂを掛止体１８に掛止させたときに、耳掛け紐４ｂの弾性力により内ホルダー１０が撓み、マスクケース１の全体が変形する不具合が生じるおそれもある。これに対して、本実施例のように、内ホルダー１０を構成する後フラップ３３の左右幅（Ｗ２）を前フラップ３２の左右幅（Ｗ１）よりも小さくしていると、上記のような不都合が生じることはなく、より適正な姿勢でマスクケース１内にマスク２を収容することができる。
【００４１】
左右方向の中央部に係る後面部１３と外折部１６と境界部に、両部１３・１６に跨る開口部２１を形成したので、外ケース１１からマスク２を取り出す際に、外折部１６に干渉されることなく、開口部２１を介して後フラップ３３に容易にアクセスすることができる。したがって、外折部１６を大きく後方に傾けたり、上方開口１４を押し広げたりする必要がなく、より容易にマスク２と内ホルダー１０とを外ケース１１から取り出すことができる。
【００４２】
加えて本実施例のマスクケース１においては、図８に示すように、内ホルダー１０を内前片３０と内後片３１の折り返し部が上方に指向するとともに、両片３０・３１のフラップ３２・３３との境界縁がテーブル面に接する立脚姿勢とすることで、該内ホルダー１０にマスク２を被せ付けるように載置することができるマスクスタンド態様を採ることができるように構成した。これによれば、マスクケース１にマスクケース機能だけでなく、マスクスタンド機能を付与することができるので、マスクケース１の実用利便性の各段の向上を図ることができる。このマスクスタンド機能は、例えば、食事等において、マスク２を人体顔面から一時的に外したときに有用であり、当該マスクスタンド機能を用いることで、マスク本体３がテーブル面に接することない姿勢状態としながら、マスク２をテーブル上に一時的に保管することが可能となる。
【００４３】
（第２実施例）
図１０（ａ）（ｂ）に本発明に係るマスクケースの第２実施例を示す。同図（ａ）に示すように、この第２実施例のマスクケース１では、外ケース１１を構成する前面部１２の上端に係る左右のコーナー部に面取り処理が施されている点が先の第１実施例と相違する。つまり、前面部１２の上端に係る左右の縁線を正面視でＲ状の湾曲線としている。また、第２実施例のマスクケース１では、糊代片２３の上下方向の長さ寸法が、第１実施例よりも短尺に設定されている。
【００４４】
このように、前面部１２の上端に係る左右のコーナー部に面取り処理が施されるとともに、糊代片２３の上下方向の長さ寸法を短尺に設定していると、図１０（ｂ）に示すように、前面部１２を前方側に撓ませることが容易となり、ケース本体１５の上方開口１４をより大きく広げることができるので、より容易に装着態様にあるマスク２と内ホルダー１０とを外ケース１１内に挿入し、或いは収容態様からマスク２と内ホルダー１０とを取り出すことができる。
【００４５】
（第３実施例）
図１１（ａ）に本発明に係るマスクケースの第３実施例を示す。この第３実施例では、マスクケース１を構成する内ホルダー１０の内前片３０と内後片３１の下端縁をストレート状とした点が、先の第１実施例と相違する。このような内ホルダー１０は、マスク本体が長方形状に形成された不織布製のマスクを収容対象とするマスクケース１に好適である。
【００４６】
上記の第１実施例においては、布製のマスクを収納対象とするマスクケースを示したが、本発明はこれに限られず、不織布製のマスクを収容対象とするものであってもよい。マスクケース１を構成する外ケース１１と内ホルダー１０の外形寸法は、上記実施例に示したものに限られない。
【符号の説明】
【００４７】
１  マスクケース
２  マスク
３  マスク本体
４  耳掛け紐
４ａ  前方側の耳掛け紐
４ｂ  後方側の耳掛け紐
１０  内ホルダー
１１  外ケース
１２  前面部
１３  後面部
１４  上方開口
１５  ケース本体
１６  外折部
１７  凹入部
１８  掛止体
２１  開口部
３０  内前片
３１  内後片
３２  前フラップ
３３  後フラップ
【要約】
【課題】ケース内へのマスクの収容動作時やケースからのマスクの取り出し動作時において、マスク本体の外面側に手指先が接触することを抑えることが可能であり、しかも収容状態において耳掛け紐が不用意に遊動することがなく、より衛生的にマスクを取り扱うことができるマスクケースを提供する。
【解決手段】本発明のマスクケース１は、二つ折り状態とされたマスク本体３の内面に差し込み装入される内ホルダー１０と、内ホルダー１０とともにマスク２を収容する外ケース１１とで構成される。
【選択図】図１【図１】
0006901177.tif 000002
【図２】
0006901177.tif 000003
【図３】
0006901177.tif 000004
【図４】
0006901177.tif 000005
【図５】
0006901177.tif 000006
【図６】
0006901177.tif 000007
【図７】
0006901177.tif 000008
【図８】
0006901177.tif 000009
【図９】
0006901177.tif 000010
【図１０】
0006901177.tif 000011
【図１１】
0006901177.tif 000012